(57)【要約】【課題】給水配管の赤錆による閉塞率を定量的に算出することができる。【解決手段】工業用ファイバースコープに光源装置を取付け、また工業用ファイバースコープの観察面にカメラを取付け、給水配管の内部に工業用ファイバースコープのスコープ部を挿入し、この工業用ファイバースコープで観察された映像をカメラで撮影する。この撮影写真２をプラニメータ６でトレースして給水配管、例えば継手部内面１の開口部４の面積又は赤錆５の面積を求め、配管内部面積と開口部面積又は赤錆面積とで給水配管の閉塞率を算出する。【選択図】      図１
2004226162.tif 000002
【特許請求の範囲】
【請求項１】
工業用ファイバースコープに光源装置を取付け、また工業用ファイバースコープの観察面にカメラを取付け、給水配管の内部に工業用ファイバースコープのスコープ部を挿入し、この工業用ファイバースコープで観察された映像をカメラで撮影し、その撮影写真をプラニメータでトレースして給水配管の開口部面積又は赤錆面積を求め、配管内部面積と開口部面積又は赤錆面積とで給水配管の閉塞率を算出することを特徴とする給水配管劣化診断方法。
【請求項２】
前記スコープ部には、目盛部材が貼り付けられ、この目盛部材によってスコープ部の先端の給水配管への挿入位置を読み取ることを特徴とする請求項１記載の給水配管劣化診断方法。
【請求項３】
前記スコープ部には、給水配管の上端部に装着される上方部位置決め部材が遊嵌され、またスコープ部の先端部には、給水配管に遊嵌される下方部位置決め部材が固定されており、前記上方部位置決め部材及び前記下方部位置決め部材によって給水配管に対して平行で赤錆撮影箇所を垂直に撮影することを特徴とする請求項１記載の給水配管劣化診断方法。
【発明の詳細な説明】
【０００１】
【発明の属する技術分野】
本発明は給水配管劣化診断方法に関する。
【０００２】
【従来の技術】
給水配管内部の酸化防止及び給水配管内部に発生した赤錆を還元して酸化を防いで黒錆に変えるために、例えば特許文献１に示すように、ＮＭＲ核磁気共鳴エネルギー発生体を有する鉄錆防止装置を給水配管の外周に設置している。
【０００３】
特許文献１：特開２０００−９２９０号公報
【０００４】
給水配管に鉄錆防止装置を設置した場合、赤錆腐食状況がどのように改善されたかを定期的に調査する必要がある。一般に、給水配管の赤錆腐食は、継手部及びエルボ部に発生し易い。そこで、給水配管の劣化診断は、給水配管の末端部や量水器のような給水関係器具が取り外せる箇所より工業用ファイバースコープを挿入し、内視鏡調査により継手部やエルボ部の赤錆腐食状況を観察している。
【０００５】
【発明が解決しようとする課題】
上記従来の内視鏡調査による給水配管劣化診断方法では、腐食状況は確認できる。しかし、単に写真撮影の比較では、鉄錆防止装置を給水配管の外周に設置して一定期間後、例えば１年後に赤錆が黒錆化し、その体積収縮で閉塞率がどの程度改善されたかを確認することができない。特に、鉄錆防止装置を設置した場合の改善の度合いは、長期にわたって徐々に改善が進むので、従来の方法では改善の度合いの判定が困難であった。
【０００６】
また、定期的に一定期間後に撮影する場合、工業用ファイバースコープのスコープ部先端と前回撮影した赤錆撮影箇所との距離が異なると、正しい閉塞率が測定できない。従来は、スコープ部を単に給水配管内に挿入して撮影するのみであるので、赤錆撮影箇所に対してスコープ部先端のレンズを常に一定距離に維持できないという問題があった。更に、スコープ部先端のレンズを常に給水配管内に対して平行及び赤錆撮影箇所に対して直角に維持できなくてスコープ部先端の向き、即ち角度が変化し、給水配管内の赤錆撮影箇所を正しく撮影することが困難であった。
【０００７】
本発明の第１の課題は、赤錆による閉塞率を正しく定量的に算出することができる給水配管劣化診断方法を提供することにある。
【０００８】
本発明の第２の課題は、赤錆撮影箇所に対してスコープ部先端のレンズを常に一定距離に維持することができる給水配管劣化診断方法を提供することにある。
【０００９】
本発明の第３の課題は、給水配管に対して平行で赤錆撮影箇所を垂直に撮影することができる給水配管劣化診断方法を提供することにある。
【００１０】
【課題を解決するための手段】
上記第１の課題を解決するための本発明の請求項１は、工業用ファイバースコープに光源装置を取付け、また工業用ファイバースコープの観察面にカメラを取付け、給水配管の内部に工業用ファイバースコープのスコープ部を挿入し、この工業用ファイバースコープで観察された映像をカメラで撮影し、その撮影写真をプラニメータでトレースして給水配管の開口部面積又は赤錆面積を求め、配管内部面積と開口部面積又は赤錆面積とで給水配管の閉塞率を算出することを特徴とする。
【００１１】
上記第１及び第２の課題を解決するための本発明の請求項２は、前記請求項１において、前記スコープ部には、目盛部材が貼り付けられ、この目盛部材によってスコープ部の先端の給水配管への挿入位置を読み取ることを特徴とする。
【００１２】
上記第１及び第３の課題を解決するための本発明の請求項３は、前記請求項１において、前記スコープ部には、給水配管の上端部に装着される上方部位置決め部材が遊嵌され、またスコープ部の先端部には、給水配管に遊嵌される下方部位置決め部材が固定されており、前記上方部位置決め部材及び前記下方部位置決め部材によって給水配管に対して平行で赤錆撮影箇所を垂直に撮影することを特徴とする。
【００１３】
【発明の実施の形態】
本発明の一実施の形態を図１により説明する。図１（ａ）は継手部内面１の内部をを撮影した撮影写真２を示す。３はレンズ枠撮影部、４は開口部で、斜線の部分は継手部内面１に発生した赤錆５を示す。工業用ファイバースコープに光源装置を取付け、また工業用ファイバースコープの観察面にカメラを取付ける。そこで、具体的な一例として、例えばトイレの給水配管の給水蛇口を取外し、トイレの給水口に工業用ファイバースコープを挿入し、前記給水口に最も近い継手部を工業用ファイバースコープで観察し、この工業用ファイバースコープで得られた映像をカメラで撮影する。ここで、工業用ファイバースコープ、光源装置及びカメラとして、例えばオリンパス株式会社製の型式「ＩＦ６Ｃ５Ｘ１−２０」、型式「ＩＬＫ−５」及び型式「ＳＣ３５」をそれぞれ使用した。
【００１４】
次に、前記した方法によって撮影した図１（ａ）の撮影写真２を、図１（ｂ）に示すプラニメータ６のトレースレンズ部７でトレースして給水配管の開口部４の面積を求めた。プラニメータ６として、測量図面の道路や敷地の面積測定に使用される例えばタマヤ計測システム株式会社製の型式「ＰＬＡＮＩＸ  １０Ｓ」を使用した。プラニメータ６によるトレースは、例えば継手部内面１の起点ａより、赤錆５の境目ｂ，ｃ，ｄ，ｅ及びｆに沿ってトレースし、続いて継手部内面１のｇ，ｈ，ｉに沿って起点ａまでトレースする。これにより、開口部４の面積がプラニメータ６によって算出される。
【００１５】
工業用ファイバースコープで観察した継手部内面１の半径は２２ｍｍであり、配管内部面積は１５１９．７６ｍｍ２  である。プラニメータ６で前記のようにしてトレースして得られた開口部４の面積（開口部面積）は７５３ｍｍ２  であった。給水配管の閉塞率（％）は、数１で表すことができるので、配管内部面積＝１５１９．７６ｍｍ２  、開口部面積＝７５３ｍｍ２  を数１に代入すると、閉塞率は５０．５％となる。
【００１６】
【数１】
2004226162.tif 000003
【００１７】
このように、給水配管内部、例えば継手部内面１に工業用ファイバースコープを挿入し、この工業用ファイバースコープで得られた映像をカメラで撮影し、この撮影写真をプラニメータ６でトレースして開口部面積を求め、配管内部面積と開口部面積とで給水配管の閉塞率を定量的に算出するので、鉄錆防止装置を給水配管に設置した場合、改善の程度及び改善の進み具合が一目瞭然と判明する。また鉄錆防止装置の性能の良否も判定することができる。
【００１８】
なお、上記実施の形態においては、プラニメータ６で開口部面積を求めたが、赤錆５自体の面積を求めてもよい。この場合の閉塞率は数２で表される。赤錆面積は、前記したように、プラニメータより赤錆５の境目ｂ，ｃ，ｄ，ｅ及びｆに沿ってトレースした後、赤錆５が付着した継手部内面１のｊ，ｋ沿って起点ａまでトレースすることにより得られる。この場合の赤錆面積は７６７．４８ｍｍとなる。
【００１９】
【数２】
2004226162.tif 000004
【００２０】
図２は、給水配管への工業用ファイバースコープの取付け状態を示す。給水配管１０と１１とは継手１２で接続されている。工業用ファイバースコープのスコープ部２０の側面には、先端部から該スコープ部２０に沿って目盛テープ２１が貼り付けられている。またスコープ部２０には、上方部位置決め部材３０が摺動自在に遊嵌されており、スコープ部２０の先端部には、下方部位置決め部材４０が固定されている。
【００２１】
上方部位置決め部材３０には、スコープ部２０が挿入される挿入穴３１と、給水配管１０に螺合させられるねじ部３２が形成されている。下方部位置決め部材４０は、スコープ部２０に固定されたリング４１と、このリング４１の四方に固定された４個のばね４２と、このばね４２の端部に固定された駒４３とからなっている。なお、図示しないが、駒４３の先には給水配管１０の内面に触れると電気信号を送るセンサーが組み込まれており、駒４３の４点が全て接触すると、その信号が調査員に送られるようになっている。即ち、下方部位置決め部材４０は、駒４３と給水配管１０の内面の間は隙間ができない構成となっている。
【００２２】
次に給水配管１０へのスコープ部２０の取付けについて説明する。スコープ部２０を給水配管１０内に挿入し、上方部位置決め部材３０を給水配管１０に螺合させる。そこで、スコープ部２０を上下動させて該スコープ部２０の先端を継手１２の赤錆５の近傍に位置させ、赤錆５を前記したように工業用ファイバースコープに取付けられたカメラで撮影する。この時のスコープ部２０の先端の位置、即ちスコープ部２０の給水配管１０内への挿入位置を目盛テープ２１によって読み取って記録しておく。この記録は、次に給水配管１０、１１の赤錆５を調査する時にスコープ部２０を挿入する位置となる。
【００２３】
このように、スコープ部２０に目盛テープ２１を貼り付けておくことにより、一定期間後に給水配管１０、１１の赤錆５を調査する時、前記記録した目盛位置、即ち前回に調査した時におけるスコープ部２０の給水配管１０への挿入位置で赤錆５を撮像することができる。これにより、常に同一の位置で給水配管１０、１１を撮像でき、赤錆５の改善率を正確に把握できるようになる。また給水配管１０に挿入されたスコープ部２０は、上方部が上方部位置決め部材３０で位置決めされ、下方部が下方部位置決め部材４０で位置決めされるので、スコープ部２０は給水配管１０の軸心にほぼ平行に配設され、継手部内面１の赤錆５を垂直に撮影することができる。
【００２４】
なお、上記実施の形態においては、上方部位置決め部材３０を給水配管１０に螺合させるように形成したが、給水配管１０の外周又は内周に単に着脱自在に嵌合させるようにしてもよい。また下方部位置決め部材４０は、給水配管１０に遊嵌させる構造であれば、特にその構造は限定させれるものではない。しかし、本実施の形態のように、駒４３をばね４２で支持する構造とすると、給水配管１０に付着した異物があっても駒４３がばね４２によって撓んで対応できるので好ましい。
【００２５】
【発明の効果】
本発明の請求項１は、工業用ファイバースコープに光源装置を取付け、また工業用ファイバースコープの観察面にカメラを取付け、給水配管の内部に工業用ファイバースコープのスコープ部を挿入し、この工業用ファイバースコープで観察された映像をカメラで撮影し、その撮影写真をプラニメータでトレースして給水配管の開口部面積又は赤錆面積を求め、配管内部面積と開口部面積又は赤錆面積とで給水配管の閉塞率を算出するので、給水配管の赤錆による閉塞率を正しく定量的に算出することができる。
【００２６】
本発明の請求項２は、請求項１において、前記スコープ部には、目盛部材が貼り付けられ、この目盛部材によってスコープ部の先端の給水配管への挿入位置を読み取ることができるので、赤錆撮影箇所に対してスコープ部先端のレンズを常に一定距離に維持することができる。
【００２７】
本発明の請求項３は、請求項１において、前記スコープ部には、給水配管の上端部に装着される上方部位置決め部材が遊嵌され、またスコープ部の先端部には、給水配管に遊嵌される下方部位置決め部材が固定されているので、前記上方部位置決め部材及び前記下方部位置決め部材によって給水配管に対して平行で赤錆撮影箇所を垂直に撮影することができる。
【図面の簡単な説明】
【図１】本発明の給水配管劣化診断方法の一実施の形態を示し、（ａ）は給水配管の赤錆を撮影した写真説明図、（ｂ）はプラニメータの平面説明図である。
【図２】給水配管への工業用ファイバースコープの取付け状態を示し、（ａ）は断面図、（ｂ）は（ａ）のＡ−Ａ線断面図である。
【符号の説明】
１    継手部内面
２    撮影写真
３    レンズ枠撮影部
４    開口部
５    赤錆
６    プラニメータ
７    トレースレンズ部
１０、１１    給水配管
１２    継手
２０    スコープ部
２１    目盛テープ
３０    上方部位置決め部材
４０    下方部位置決め部材
【図１】
2004226162.tif 000005
【図２】
2004226162.tif 000006